【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
ゴム成形体である被着体（１）と、接着剤（Ｘ）を架橋してなる層と、ゴムまたはその他の材料からなる成形体である被着体（２）が接してなるゴム接着体であって、
前記接着剤（Ｘ）が、２５℃での粘度が、１Ｐａ・ｓ以上、５，０００Ｐａ・ｓ未満の範囲であるエチレン・α−オレフィン・ポリエン共重合体（Ａ）と、下記（Ｂ−１）、（Ｂ−２）および（Ｂ−３）よりなる群から選ばれる少なくとも一種の架橋剤（Ｂ）とを含むことを特徴とするゴム接着体；
（Ｂ−１）有機過酸化物およびアリル化合物系架橋助剤、
（Ｂ−２）イオウ系化合物、
（Ｂ−３）ＳｉＨ基含有化合物。
【請求項２】
前記エチレン・α−オレフィン・ポリエン共重合体（Ａ）のポリエンが、１，３−ブタジエン、イソプレン、ジシクロペンタジエン、５−エチリデン−２−ノルボルネン、５−ビニル−２−ノルボルネンから選ばれる少なくとも一つであることを特徴とする請求項１に記載のゴム接着体。
【請求項３】
前記架橋剤（Ｂ）が、（Ｂ−１）有機過酸化物およびアリル化合物系架橋助剤であることを特徴とする請求項１または２に記載のゴム接着体。
【請求項４】
前記架橋剤（Ｂ）が、下記一般式（ａ）および／または下記一般式（ｂ）に記載の有機過酸化物と、下記式（ｃ）および／または下記式（ｄ）で表されるアリル化合物系架橋助剤とを含むことを特徴とする請求項１または２に記載のゴム接着体。
Ｘ1−Ｏ−Ｏ−Ｘ2−Ｏ−Ｏ−Ｘ3  …（ａ）
（式（ａ）中、Ｘ1、Ｘ2、Ｘ3は、それぞれ独立に炭素数４以上の有機基を示す）
Ｙ1−Ｏ−Ｏ−Ｙ2  …（ｂ）
（式（ｂ）中、Ｙ1、Ｙ2は、それぞれ独立に炭素数４以上の有機基を示す）
【化１】
2014162823.tif 000001
【化２】
2014162823.tif 000002
【請求項５】
前記エチレン・α−オレフィン・ポリエン共重合体（Ａ）が、１３５℃のデカリン溶液で測定した極限粘度［η］が０．０１〜０．５０（ｄｌ／ｇ）の範囲であることを特徴とする請求項１〜４のいずれかに記載のゴム接着体。
【請求項６】
前記エチレン・α−オレフィン・ポリエン共重合体（Ａ）がエチレン・α−オレフィン・非共役ポリエン共重合体であることを特徴とする請求項１〜５のいずれかに記載のゴム接着体。
【請求項７】
前記エチレン・α−オレフィン・ポリエン共重合体（Ａ）がエチレン・プロピレン・非共役ポリエン共重合体であることを特徴とする請求項１〜５のいずれかに記載のゴム接着体。
【請求項８】
前記エチレン・α−オレフィン・ポリエン共重合体（Ａ）がエチレン・プロピレン・５−ビニル−２−ノルボルネン共重合体であることを特徴とする請求項１〜５のいずれかに記載のゴム接着体。
【請求項９】
前記接着剤（Ｘ）が、実質的に溶媒を含まないことを特徴とする請求項１〜８のいずれかに記載のゴム接着体。
【請求項１０】
前記被着体（１）および前記被着体（２）のうち少なくとも一つが、架橋剤としてイオウ系化合物および有機過酸化物から選ばれる少なくとも一つを用いて得られる架橋ゴム成形体であることを特徴とする請求項１〜９のいずれかに記載のゴム接着体。
【請求項１１】
前記被着体（１）および前記被着体（２）がシート状の架橋ゴム成形体であることを特徴とする請求項１〜１０のいずれかに記載のゴム接着体。
【請求項１２】
ゴム成形体である被着体（１）の接着面、および／または、ゴムまたはその他の材料からなる成形体である被着体（２）の接着面に、
２５℃での粘度が、１Ｐａ・ｓ以上、５，０００Ｐａ・ｓ未満の範囲であるエチレン・α−オレフィン・ポリエン共重合体（Ａ）と、下記（Ｂ−１）、（Ｂ−２）および（Ｂ−３）よりなる群から選ばれる少なくとも一種の架橋剤（Ｂ）とを含む接着剤（Ｘ）を塗布する工程と、
前記被着体（１）と前記被着体（２）の接着面を、塗布した接着剤（Ｘ）を介して貼り合わせる工程と、
接着剤（Ｘ）を架橋する工程と
を有することを特徴とするゴム接着体の製造方法；
（Ｂ−１）有機過酸化物およびアリル化合物系架橋助剤、
（Ｂ−２）イオウ系化合物、
（Ｂ−３）ＳｉＨ基含有化合物。
【請求項１３】
２５℃での粘度が、１Ｐａ・ｓ以上、５，０００Ｐａ・ｓ未満の範囲であるエチレン・α−オレフィン・ポリエン共重合体（Ａ）と、
下記（Ｂ−１）、（Ｂ−２）および（Ｂ−３）よりなる群から選ばれる少なくとも一種の架橋剤（Ｂ）と
を含むことを特徴とするゴム接着体製造用接着剤（Ｘ）；
（Ｂ−１）有機過酸化物およびアリル化合物系架橋助剤、
（Ｂ−２）イオウ系化合物、
（Ｂ−３）ＳｉＨ基含有化合物。
【請求項１４】
前記エチレン・α−オレフィン・ポリエン共重合体（Ａ）のポリエンが、１，３−ブタジエン、イソプレン、ジシクロペンタジエン、５−エチリデン−２−ノルボルネン、５−ビニル−２−ノルボルネンから選ばれる少なくとも一つであることを特徴とする請求項１３に記載のゴム接着体製造用接着剤（Ｘ）。
【請求項１５】
前記架橋剤（Ｂ）が、（Ｂ−１）有機過酸化物およびアリル化合物系架橋助剤であることを特徴とする請求項１３または１４に記載のゴム接着体製造用接着剤（Ｘ）。
【請求項１６】
前記架橋剤（Ｂ）が、下記一般式（ａ）および／または下記一般式（ｂ）に記載の有機過酸化物と、下記式（ｃ）および／または下記式（ｄ）で表されるアリル化合物系架橋助剤とを含むことを特徴とする請求項１３〜１５のいずれかに記載のゴム接着体製造用接着剤（Ｘ）。
Ｘ1−Ｏ−Ｏ−Ｘ2−Ｏ−Ｏ−Ｘ3  …（ａ）
（式（ａ）中、Ｘ1、Ｘ2、Ｘ3は、それぞれ独立に炭素数４以上の有機基を示す）
Ｙ1−Ｏ−Ｏ−Ｙ2  …（ｂ）
（式（ｂ）中、Ｙ1、Ｙ2は、それぞれ独立に炭素数４以上の有機基を示す）
【化３】
2014162823.tif 000003
【化４】
2014162823.tif 000004
【請求項１７】
前記エチレン・α−オレフィン・ポリエン共重合体（Ａ）が、１３５℃のデカリン溶液で測定した極限粘度［η］が０．０１〜０．５０（ｄｌ／ｇ）の範囲であることを特徴とする請求項１３〜１６のいずれかに記載のゴム接着体製造用接着剤（Ｘ）。
【請求項１８】
前記エチレン・α−オレフィン・ポリエン共重合体（Ａ）がエチレン・α−オレフィン・非共役ポリエン共重合体であることを特徴とする請求項１３〜１７のいずれかに記載のゴム接着体製造用接着剤（Ｘ）。
【請求項１９】
前記エチレン・α−オレフィン・ポリエン共重合体（Ａ）がエチレン・プロピレン・非共役ポリエン共重合体であることを特徴とする請求項１３〜１７のいずれかに記載のゴム接着体製造用接着剤（Ｘ）。
【請求項２０】
前記エチレン・α−オレフィン・ポリエン共重合体（Ａ）がエチレン・プロピレン・５−ビニル−２−ノルボルネン共重合体であることを特徴とする請求項１３〜１７のいずれかに記載のゴム接着体製造用接着剤（Ｘ）。
【請求項２１】
実質的に溶媒を含まないことを特徴とする請求項１３〜２０のいずれかに記載のゴム接着体製造用接着剤（Ｘ）。
【請求項２２】
架橋ゴム成形体を接着する用途に用いることを特徴とする請求項１３〜２１のいずれかに記載のゴム接着体製造用接着剤（Ｘ）。
【手続補正２】
【補正対象書類名】明細書
【補正対象項目名】００１３
【補正方法】変更
【補正の内容】
【００１３】
Ｘ1−Ｏ−Ｏ−Ｘ2−Ｏ−Ｏ−Ｘ3  …（ａ）
（式（ａ）中、Ｘ1、Ｘ2、Ｘ3は、それぞれ独立に炭素数４以上の有機基を示す）
Ｙ1−Ｏ−Ｏ−Ｙ2  …（ｂ）
（式（ｂ）中、Ｙ1、Ｙ2は、それぞれ独立に炭素数４以上の有機基を示す）
【手続補正３】
【補正対象書類名】明細書
【補正対象項目名】００１６
【補正方法】変更
【補正の内容】
【００１６】
本発明のゴム接着体では、前記エチレン・α−オレフィン・ポリエン共重合体（Ａ）が、エチレン・α−オレフィン・非共役ポリエン共重合体であることが好ましく、エチレン・プロピレン・非共役ポリエン共重合体であることがより好ましく、エチレン・プロピレン・５−ビニル−２−ノルボルネン共重合体であることがさらに好ましい。
【手続補正４】
【補正対象書類名】明細書
【補正対象項目名】００２２
【補正方法】変更
【補正の内容】
【００２２】
Ｘ1−Ｏ−Ｏ−Ｘ2−Ｏ−Ｏ−Ｘ3  …（ａ）
（式（ａ）中、Ｘ1、Ｘ2、Ｘ3は、それぞれ独立に炭素数４以上の有機基を示す）
Ｙ1−Ｏ−Ｏ−Ｙ2  …（ｂ）
（式（ｂ）中、Ｙ1、Ｙ2は、それぞれ独立に炭素数４以上の有機基を示す）
【手続補正５】
【補正対象書類名】明細書
【補正対象項目名】００２５
【補正方法】変更
【補正の内容】
【００２５】
本発明のゴム接着体製造用接着剤（Ｘ）では、前記エチレン・α−オレフィン・ポリエン共重合体（Ａ）がエチレン・α−オレフィン・非共役ポリエン共重合体であることが好ましく、エチレン・プロピレン・非共役ポリエン共重合体であることがより好ましく、エチレン・プロピレン・５−ビニル−２−ノルボルネン共重合体であることがさらに好ましい。
【手続補正６】
【補正対象書類名】明細書
【補正対象項目名】００７０
【補正方法】変更
【補正の内容】
【００７０】
Ｘ1−Ｏ−Ｏ−Ｘ2−Ｏ−Ｏ−Ｘ3  …（ａ）
（式（ａ）中、Ｘ1、Ｘ2、Ｘ3は、それぞれ独立に炭素数４以上の有機基を示す）
Ｙ1−Ｏ−Ｏ−Ｙ2  …（ｂ）
（式（ｂ）中、Ｙ1、Ｙ2は、それぞれ独立に炭素数４以上の有機基を示す）